【手続補正書】
【提出日】平成19年9月27日(2007.9.27)
【手続補正１】
【補正対象書類名】特許請求の範囲
【補正対象項目名】全文
【補正方法】変更
【補正の内容】
【特許請求の範囲】
【請求項１】
ストリーミング品質を報告する方法であって、少なくとも１つの連続メディアストリームをクライアント（６０１）に対して配信し、該配信を該クライアント（６０１）とサーバ（６００）との間で動作するプロトコル（１０９）によって制御する報告方法において、
少なくとも１つの選択された品質メトリクスおよび少なくとも２つの品質メトリクスクラスからなる所定のセットから選択された品質メトリクスクラスに基づき、前記ストリーミング品質を前記サーバ（６００）に報告するステップ（６０３）を具備する方法。
【請求項２】
前記クライアント（６０１）と前記サーバ（６００）との間で、前記品質メトリクスクラスを協議するステップ（６０５〜６０９）を、さらに含む請求項１に記載の方法。
【請求項３】
前記プロトコル（１０９）が、前記プロトコルの少なくとも１つのプロトコルデータユニット内で品質メトリクスクラス・フィールドを規定し、該品質メトリクスクラス・フィールドは、前記少なくとも２つの品質メトリクスクラスからなる所定のセット内の個々の品質メトリクスクラスを特定することができる請求項１〜２のいずれか一項に記載の方法。
【請求項４】
前記品質メトリクスクラス・フィールドが、前記少なくとも１つのプロトコルデータユニットのヘッダセクション（３）に配置される請求項３に記載の方法。
【請求項５】
前記少なくとも１つの選択された品質メトリクスが、前記少なくとも１つの連続メディアストリームの少なくとも１つのフレームが良好なフレームか否かの決定に、少なくとも部分的に根拠する経験の質（ＱｏＥ）メトリクスである請求項１〜４のいずれか一項に記載の方法。
【請求項６】
前記少なくとも２つの品質メトリクスクラスからなる所定のセット内の個々の品質メトリクスクラスが、前記少なくとも１つの連続メディアストリームのフレームが良好なフレームか否かを決定する方法に関する異なるセットの規則を規定する請求項５に記載の方法。
【請求項７】
前記品質メトリクスクラスのうちの少なくとも１つによって規定される前記セットの規則が、
前記少なくとも１つの連続メディアストリームを完全に受信したＩ−フレーム、または
エラーまたは損失の最後のフレームの後、前記少なくとも１つの連続メディアストリームのＮ番目（整数Ｎは、信号による送信値、または、ビデオフレームのときは∞の値もしくはオーディオフレームのときは１の値のデフォルト値のいずれかの値）に完全受信したフレーム、のうちの時間的に早い方のフレームを、良好なフレームと決定するステップと、
良好なフレームの後に続く前記少なくとも１つの連続メディアストリームのフレームが完全に受信されたとき、該フレームを良好なフレームと決定し、そうでないとき、次の良好なフレームまで、該フレームおよび後続するすべてのフレームを破損フレームと決定するステップと、を含む請求項６に記載の方法。
【請求項８】
前記品質メトリクスクラスのうちの少なくとも１つによって規定される前記セットの規則が、エラートラッキングアルゴリズムに従って、前記少なくとも１つの連続メディアストリームの符号化されたフレームを良好なフレームと決定するステップを含む請求項６に記載の方法。
【請求項９】
前記品質メトリクスクラスのうちの少なくとも１つによって規定される前記セットの規則が、
前記少なくとも１つの連続メディアストリームのイントラ符号化されたフレームを前記クライアント側で完全に受信したとき、該フレームを良好なフレームと決定し、そうでないとき、該フレームを破損フレームと決定するステップ、または
前記少なくとも１つの連続メディアストリームの予測符号化フレームを前記クライアント側で完全に受信し、かつ、上記予測符号化フレームの予測参照サンプルのすべてが良好なフレームに属するとき、該フレームを良好なフレームと決定し、そうでないとき、該フレームを破損フレームと決定するステップを含む請求項８に記載の方法。
【請求項１０】
前記品質メトリクスクラスのうちの少なくとも１つによって規定される前記セットの規則が、
復号化品質評価アルゴリズムに従って、前記少なくとも１つの連続メディアストリームの符号化されたフレームを良好なフレームと決定するステップを含む請求項６に記載の方法。
【請求項１１】
前記品質メトリクスクラスのうちの少なくとも１つによって規定される前記セットの規則が、
前記少なくとも１つの連続メディアストリームのイントラ符号化されたフレームを前記クライアント側で完全に受信したとき、前記フレームを良好なフレームと決定し、そうでないとき、破損フレームと決定するステップ、または
前記少なくとも１つの連続メディアストリームの予測符号化フレームを前記クライアント側で完全に受信し、かつ、上記予測符号化フレームの予測参照サンプルのすべてが良好なフレームに属するとき、あるいは、
前記フレームの少なくとも一部（４０３）が完全に受信され、前記フレームの該完全に受信された部分のすべての予測参照サンプルが良好なフレームに属し、かつ、前記フレームのすべての隠蔽された部分（４０２）が良好とみなされるとき、前記フレームを良好なフレームと決定するテップを含む方法であって、
前記フレームの復号化バージョンの損失部分やエラー部分（４００、４０４）にエラー隠蔽アルゴリズムを適用することによって、前記フレームの隠蔽された部分（４０２）を取得し、前記フレームの前記隠蔽された部分（４０２、５０３）と前記フレームの完全受信された周辺部分（４０３、５０４）で復号化された部分との間（５０２ａ−ｄ）の平均境界誤差が、閾値未満であるとき、前記隠蔽された部分（４０３）を良好とみなす請求項１０に記載の方法。
【請求項１２】
前記プロトコル（１０９）が、第３世代移動通信システムのパケット交換型ストリーミングサービスＰＳＳと関連して、セッション記述プロトコルＳＤＰ（１１０）と組み合わされるリアルタイム・ストリーミングプロトコルＲＴＳＰ（１０９）である請求項１〜１１のいずれかに一項に記載の方法。
【請求項１３】
前記セッション記述プロトコルＳＤＰ（１１０）は、少なくとも１つの品質メトリクスクラス・フィールドを規定する少なくとも１つのＳＤＰ属性を含み、該品質メトリクスクラス・フィールドは、前記少なくとも２つの品質メトリクスクラスからなる所定のセットの個々の品質メトリクスクラスを特定できる請求項１２に記載の方法。
【請求項１４】
少なくとも部分的に前記ＳＤＰ属性に基づいて、前記クライアント（６０１）と前記サーバ（６００）との間で品質メトリクスクラスを協議するために、前記ＲＴＳＰ（１０９）が使用される請求項１３に記載の方法。
【請求項１５】
前記ＲＴＳＰ（１０９）が、前記協議用としてＤＥＳＣＲＩＢＥ法を使用する請求項１４に記載の方法。
【請求項１６】
少なくとも１つの連続メディアストリームをクライアント（６０１）に対して配信するストリーミングについて報告するストリーミング品質を、サーバ（６００）において受信するステップであって、該配信を、該クライアント（６０１）と該サーバ（６００）との間で動作するプロトコル（１０９）によって制御し、該品質を、選択された品質メトリックおよび少なくとも２つの品質メトリッククラスからなる所定のセットから選択された品質メトリッククラスに基づき報告する、受信ステップを含む方法。
【請求項１７】
請求項１〜１６の方法ステップをプロセッサに実行させるように動作できる命令を有するコンピュータプログラム。
【請求項１８】
請求項１〜１６の方法ステップをプロセッサに実行させるように動作できる命令を有するコンピュータプログラムを含むコンピュータプログラム製品。
【請求項１９】
少なくとも１つのクライアント（６０１）と、少なくとも１つのサーバ（６００）と、を具備するストリーミングシステムであって、
少なくとも１つの連続メディアストリームを、前記少なくとも１つのクライアント（６０１）に対して配信し、該配信を、前記少なくとも１つのクライアント（６０１）と前記少なくとも１つのサーバ（６００）との間で動作するプロトコル（１０９）によって制御し、前記ストリーミングの品質を、少なくとも１つの選択された品質メトリクスおよび少なくとも２つの品質メトリクスからなる所定のセットから選択された品質メトリクスクラスに基づき、前記少なくとも１つのサーバ（６００）に報告するシステム。
【請求項２０】
ストリーミングシステムにおけるクライアント（６０１）であって、
前記クライアント（６０１）に対する少なくとも１つの連続メディアストリームの配信を制御するプロトコル（１０９）を動作させる手段（７０１）と、
少なくとも１つの選択された品質メトリクスおよび少なくとも２つの品質メトリクスクラスからなる所定のセットから選択された品質メトリクスに基づき、前記ストリーミングの品質を報告する手段（７０１）と、を具備するクライアント。
【請求項２１】
ストリーミングシステムにおけるサーバ（６００）であって、
クライアント（６０１）に対する少なくとも１つの連続メディアストリームの配信を制御するプロトコル（１０９）を動作させる手段（７００）と、
前記クライアント（６０１）からの前記ストリーミングに関する品質報告を受信する手段（７００、７０６）と、を具備するサーバにおいて、前記品質は、少なくとも１つの選択された品質メトリクスおよび少なくとも２つの品質メトリクスクラスからなる所定のセットから選択された品質メトリクスクラスに基づき報告するサーバ。
【請求項２２】
ストリーミングシステム用プロトコル（１０９）であって、
クライアント（６０１）に対する少なくとも１つの連続メディアストリームの配信を制御するための規則と、
少なくとも１つの品質メトリクスおよび少なくとも２つの品質メトリクスクラスからなるセットの規定と、
少なくとも１つの品質メトリクスと、前記少なくとも２つの品質メトリクスクラスからなるセットから品質メトリクスクラスと、を選択するための規則と、
前記少なくとも１つの選択された品質メトリクスおよび前記選択された品質メトリクスクラスに基づき、前記ストリーミングの品質をサーバ（６００）に報告するための規則と、を含むプロトコル。